(57)【要約】【課題】イベントセールなどで簡単に設置することができ、多くの商品を簡便に陳列することができる商品陳列台を提供する。【解決手段】連結板部材２は、方形箱１の上面と略同じ大きさと形状に形成され、方形箱１上に載置される。連結板部材２の各辺部には、第１連結凹部２１と第２連結凹部２２が形成される。連結ロック部材３は、第１連結凹部２１内に反転回動可能に枢支され、且つ反転回動した連結ロック部材３は、隣接する連結板部材２の第２連結凹部２２に嵌合する。方形箱１上に連結板部材２が載置された状態で、連結凸部５が方形箱１の上部内に差し込まれ、方形箱１が連結板部材２上に載置された状態で、連結プレート４が方形箱１の下部内に差し込まれる。【選択図】図１２
2019180974.tif 000002
【特許請求の範囲】
【請求項１】
複数の方形箱と、
該方形箱の上面と略同じ形状に形成され、該方形箱の上面に載置される連結板部材と、
並べて載置された該複数の方形箱上で、隣接する該連結板部材の各辺部を相互に連結する連結ロック部材と、
該連結板部材の上面の略中央部に、突出回動可能に枢支された連結プレートと、
該連結板部材の下面の略中央部に突設された連結凸部と、
を備えた商品陳列台であって、
該連結板部材は、該方形箱の上面と略同じ大きさと形状に板状に形成され、
該連結板部材の各辺部には、第１連結凹部と第２連結凹部が形成され、
該連結ロック部材は、該第１連結凹部内に反転回動可能に枢支され、且つ反転回動した該連結ロック部材は、隣接する該連結板部材の該第２連結凹部に嵌着するように構成され、
該方形箱上に該連結板部材が載置された状態で、該連結凸部は該方形箱の上部内に差し込まれ、該方形箱が該連結板部材上に載置された状態で、該連結プレートが該方形箱の下部内に差し込まれることを特徴とする商品陳列台。
【請求項２】
前記連結ロック部材の板状本体には、該第２連結凹部内に突設した係止凸部に係止される係止孔が設けられたことを特徴とする請求項１記載の商品陳列台。
【請求項３】
前記方形箱は、紙製或いは合成樹脂製の段ボールにより箱状に形成されことを特徴とする請求項１記載の商品陳列台。
【請求項４】
前記連結ロック部材は、枢支される軸部から該板状本体が延設され、該板状本体の両側にバネ状弾性を有する係止アームが設けられ、該係止アームが上記第２連結凹部内の両側面に係止可能に構成されたことを特徴とする請求項２記載の商品陳列台。
【請求項５】
前記連結プレートは、前記連結板部材の平面に設けたプレート用凹部内から、該平面と略垂直に突出する位置まで回動し静止することを特徴とする請求項１記載の商品陳列台。
【請求項６】
前記連結板部材は、合成樹脂により一体成形され、内部に多数の空間セル室が下面に開口して形成されたことを特徴とする請求項１記載の商品陳列台。
【発明の詳細な説明】
【技術分野】
【０００１】
本発明は、商品を陳列する商品陳列台に関し、特に、複数の陳列用方形箱を上下に積み重ね或いは左右に簡便に並べて、安定した陳列台とすることができる商品陳列台に関する。
【背景技術】
【０００２】
ホームセンター、スーパーマーケットなどの量販店において、イベントセール開催時などに、多数の商品を、山盛り状態として、商品を陳列する場合がある。通常の商品の場合、例えば下記特許文献１に記載されるような通常の商品陳列棚や陳列台に、商品を陳列するところ、特定のイベントセール開催時などの期間のみにおいて、多数の商品を陳列するために、通常の商品陳列棚や陳列台を設置することは、陳列棚の購入や、設置作業に必要な工数など、コストの観点から難しい。
【０００３】
そこで、従来、イベントセール開催時などに、多数の商品を山盛り状態として、商品を陳列するなどの場合、簡易な段ボール箱を任意の場所に並べて載置し、これらを即席の陳列台とし、その上に、多数の商品を山盛り状態で陳列することが行われている。
【先行技術文献】
【特許文献】
【０００４】
【特許文献１】特開平１０−２０１５８１号公報
【発明の概要】
【発明が解決しようとする課題】
【０００５】
しかし、単純に複数の段ボール箱を並べただけでは、各段ボール箱が動きやすく、段ボール箱と段ボール箱との間に隙間が生じ、不安定となり、多くの商品を安定して陳列することは難しい。
【０００６】
本発明は、上述の課題を解決するものであり、イベントセールなどで簡単に設置することができ、多くの商品を簡便に安定して陳列することができる商品陳列台を提供することを目的とする。
【課題を解決するための手段】
【０００７】
本発明に係る商品陳列台は、複数の方形箱と、該方形箱の上面と略同じ形状に形成され、該方形箱の上面に載置される連結板部材と、並べて載置された該複数の方形箱上で、隣接する該連結板部材の各辺部を相互に連結する連結ロック部材と、該連結板部材の上面の略中央部に、突出回動可能に枢支された連結プレートと、該連結板部材の下面の略中央部に突設された連結凸部とを備えた商品陳列台であって、
該連結板部材は、該方形箱の上面と略同じ大きさと形状に形成され、
該連結板部材の各辺部には、第１連結凹部と第２連結凹部が形成され、
該連結ロック部材は、該第１連結凹部内に反転回動可能に枢支され、且つ反転回動した該連結ロック部材は、隣接する該連結板部材の該第２連結凹部に嵌着するように構成され、
該方形箱上に該連結板部材が載置された状態で、該連結凸部は該方形箱の上部内に差し込まれ、該方形箱が該連結板部材上に載置された状態で、該連結プレートが該方形箱の下部内に差し込まれることを特徴とする。
【０００８】
この発明の商品陳列台によれば、イベントセールなどで複数の方形箱を横に並べて簡単に設置し、各方形箱上に載置した連結板部材により相互に連結して、多数の商品を連結板部材上に、簡便に陳列することができる。
【０００９】
例えば、複数の方形箱を使用して、ステージ状の陳列台とする場合、各方形箱の上面に、連結板部材を載置し、且つ連結板部材の下面の連結凸部を、方形箱の上部に設けたスリットに差し込み、各方形箱の上面に連結板部材を取り付ける。そして、隣接する各連結板部材の連結ロック部材を反転回動させ、隣の連結板部材の第２連結凹部内に嵌着させて、並設する方形箱を連結する。これにより、複数の方形箱は横に並べた状態で安定して連結することができ、平面を形成する安定したステージ状の連結板部材上に、多数の商品を陳列することができる。
【００１０】
また、各連結板部材上の連結プレートを垂直に回動させ、その上に連結板部材付きの方形箱を載置して上下に２個の方形箱を積み重ねた状態とし、その前側に、横に並設した連結板部材付きの方形箱を連結すれば、雛段状の陳列台とすることができる。
【００１１】
ここで、上記方形箱は、紙製或いは合成樹脂製の段ボールにより箱状に形成することができる。
【００１２】
またここで、上記連結ロック部材は、枢支される軸部から板状本体が延設され、該板状本体の両側にバネ状弾性を有する係止アームが設けられ、該係止アームが上記第２連結凹部内の両側面に係止可能とされ、且つ該板状本体には該第２連結凹部内に突設した係止凸部に係止される係止孔を設けるように構成することができる。
【００１３】
またここで、上記連結プレートは、上記連結板部材の平面に設けたプレート用凹部内から、該平面と略垂直に突出する位置まで回動し静止するように構成することができる。
【００１４】
またここで、上記連結板部材は、合成樹脂により一体成形され、内部に多数の空間セル室が下面に開口して形成された構成とすることが好ましい。これによれば、強度を保持しつつ、連結板部材の軽量化を図ることができる。
【発明の効果】
【００１５】
この発明の商品陳列台によれば、複数の方形箱を並べてステージ状とし、或いは雛段状に方形箱を載置してそれらを連結し、イベントセールなどで、多くの商品を簡便に陳列することができる。
【図面の簡単な説明】
【００１６】
【図１】本発明の一実施形態を示す商品陳列台の斜視図である。
【図２】連結板部材と方形箱を分離した状態の分解斜視図である。
【図３】（ａ）は連結板部材の正面図、（ｂ）はその平面図、（ｃ）はそのＣ−Ｃ断面図である。
【図４】連結板部材の部材本体の斜視図である。
【図５】（ａ）は連結ロック部材の正面図、（ｂ）はその平面図、（ｃ）はその底面図、（ｄ）はその斜視図、（ｅ）は底面側から見た斜視図である。
【図６】連結ロック部材を組み付ける際の分解斜視図である。
【図７】（ａ）は連結プレートの正面図、（ｂ）はその平面図、（ｃ）はその左側面図、（ｄ）はその底面図である。
【図８】（ａ）は連結プレートの斜視図、（ｂ）は底面側から見た同斜視図である。
【図９】連結プレートを連結板部材のプレート用凹部に取り付ける際の分解平面図である。
【図１０】（ａ）は連結ロック部材を連結ロックさせたときの断面図、（ｂ）は連結ロックを外したときの断面図である。
【図１１】（ａ）は連結プレートの収納状態の断面図、（ｂ）は連結プレートを突き出す際の断面図、（ｃ）は連結プレートを突き出した状態の断面図である。
【図１２】連結板部材で連結した２個の方形箱の斜視図である。
【図１３】連結板部材で連結した２個の方形箱の平面図である。
【図１４】図１３のＡ−Ａ拡大断面図である。
【図１５】（ａ）は方形箱を連結板部材の上に載置する際の斜視図、（ｂ）は方形箱を連結板部材の上に載置した状態の斜視図である。
【図１６】方形箱と連結板部材を雛段状に載置した商品陳列台の斜視図である。
【発明を実施するための形態】
【００１７】
以下、本発明の一実施形態を図面に基づいて説明する。この商品陳列台は、図１２、図１６に示すように、概略的には、各方形箱１の上に連結板部材２を載置し、それらを左右に並べ、或いは上下に積み重ねて、ステージ状に或いは雛段状に、陳列台を構成するものである。
【００１８】
商品陳列台は、図１，図２に示す如く、基本的に、方形箱１と、方形箱１の上面と略同じ形状に形成され、方形箱１の上面に載置される連結板部材２と、を備えて構成される。方形箱１上の各連結板部材２は、図１２のように、各辺部を合せて並設された状態で、連結ロック部材３により連結される。つまり、並べて載置された複数の方形箱１上に連結板部材２が載置して取り付けられ、隣接する各連結板部材２の各辺部が、連結ロック部材３により連結される。
【００１９】
方形箱１は、図２に示すように、例えば紙製段ボール或いは合成樹脂製段ボールにより、立方体形状に形成され、方形箱１の上面中央に上スリット１１が形成され、下面中央に下スリット１２が形成される。段ボール製の方形箱１であれば、使用時、簡単に立方体に組み立てることができ、非使用時には、折り畳み状態で保管することができる。
【００２０】
連結板部材２は、その本体となる部材本体２３が、例えば合成樹脂により平面を正方形とし且つ所定の厚さを持って板状に一体成形される。図３（ｃ）に示すように、連結板部材２の内部には、多数の空間セル室２９が、多数のリブを介して、例えばハニカム状に形成され、連結板部材２は十分な強度を有し且つ軽量化を図っている。図３（ａ）に示すように、部材本体２３の底面に、板状の連結凸部５が下向きに突設される。この連結凸部５は、連結板部材２が方形箱１上に載置されるとき、図２に示す如く、方形箱１上に形成された上スリット１１に差し込まれ、連結板部材２と方形箱１が連結される。
【００２１】
図４に示すように、連結板部材２の部材本体２３上には、その各辺部に、各々、１対の第１連結凹部２１と第２連結凹部２２が所定間隔で所定位置に形成される。各第１連結凹部２１と第２連結凹部２２は、平面を略同一の長方形状に形成され、部材本体２３の下側の辺部を平面視で見た場合、図４に示す如く、例えば、各辺部ともに、左側に第１連結凹部２１が形成され、右側に第２連結凹部２２が形成される。連結板部材２の各辺部の第１連結凹部２１内に、図６に示す如く、連結ロック部材３が回動可能に取り付けられる。
【００２２】
そのために、第１連結凹部２１内の両側部に、短軸状の軸支部２５が対向して設けられ、さらに、図４，６に示す如く、第１連結凹部２１内には、収納状態の連結ロック部材３を、定位置に支持するために、円形支持部２８が設けられる。
【００２３】
連結ロック部材３は、図５に示すように、一方の端部に軸部３３を設け、軸部３３から他方の側に板状本体３４を延設して構成され、板状本体３４の中央に、長方形状の係止孔３５が設けられる。軸部３３の両端部に、軸受凹部３７が形成され、図６に示す如く、連結ロック部材３の軸部３３を、第１連結凹部２１内に差し込んで、取り付ける際、軸部３３の両側の軸受凹部３７が、第１連結凹部２１内両側の軸支部２５に嵌合する。
【００２４】
これにより、連結ロック部材３は、その軸部３３を介して、第１連結凹部２１内で外側に反転回動可能に取り付けられる。図５，６に示すように、軸受凹部３７は、軸部３３を第１連結凹部２１内に差し込んで取り付ける際、簡単に嵌合できるように、下向きにのみ開口し、軸部３３が反転回動したとき、軸受凹部３７が軸支部２５から外れない構造となっている。
【００２５】
さらに、板状本体３４の両側に、バネ状弾性を有する係止アーム３６が設けられ、係止アーム３６の先端部に円形凸部３６ａが両側に張り出すように設けられる。両側の係止アーム３６は、連結ロック部材３が第１連結凹部２１内に取り付けられたとき、第１連結凹部２１内の両側壁部にバネ弾性を持って当接する。また、連結ロック部材３の反転回動時、連結ロック部材３の板状本体３４が第２連結凹部２２内に進入したとき、両側の係止アーム３６が第２連結凹部２２内の両側壁部にバネ弾性を持って当接するようになっている。
【００２６】
つまり、隣接する連結板部材２を連結する際、第１連結凹部２１内に枢支された連結ロック部材３は、図１４に示す如く、板状本体３４が反転回動され、このとき、隣接する連結板部材２の第２連結凹部２２内に板状本体３４が進入する。このとき、第２連結凹部２２内の係止凸部２２ａに、板状本体３４の係止孔３５が嵌入して係止され、且つ両側の係止アーム３６が第２連結凹部２２内の両側壁部にバネ弾性を持って当接し、連結ロック部材３のロック状態が保持される構造である。
【００２７】
さらに、図４に示すように、連結板部材２の部材本体２３の中央には、連結プレート４を収納可能に取り付けるための、プレート用凹部２４が形成される。プレート用凹部２４内の両側に、支軸２６が突設され、連結プレート４の軸部４３をプレート用凹部２４内に嵌入したとき、軸部４３の両側に設けた軸受凹部４７を支軸２６に嵌合させ、連結プレート４が図１１に示す如く約９０°の範囲内で回動可能に軸支される。
【００２８】
連結プレート４は、図８に示す如く、軸部４３から板状本体４４を平行に延設し、所定の長さと幅を有して形成され、軸部４３の両端部に、軸受凹部４７が設けられ、軸部４３の略中央部に係止部４５が設けられる。図４、図８に示すように、軸受凹部４７は、プレート用凹部２４内に差し込んで取り付ける際、簡単に嵌合できるように、下向きにのみ開口し、軸部４３を９０°回動させ、連結プレート４が部材本体２３上に垂直に突出したとき、軸受凹部４７が支軸２６から外れない構造となっている。
【００２９】
一方、プレート用凹部２４内の略中央に、被係止部２７が設けられ、連結プレート４側の係止部４５が被係止部２７に係止可能となっている。つまり、図１１に示すように、プレート用凹部２４に収納された連結プレート４を、プレート用凹部２４から上に回動させ、連結プレート４が略垂直状態となったとき、係止部４５が被係止部２７に係止され、連結プレート４が静止する。
【００３０】
これにより、使用時に、プレート用凹部２４内に収納された連結プレート４を簡単に約９０°回動させ、連結プレート４を連結板部材２上で垂直に突出した状態とすることができる。この連結プレート４は、図１５（ａ）に示すように、方形箱１を上下に重ねて載置する場合、下側の連結板部材２上で突出させ、その上に方形箱１の下スリット１２を差し込むようにして、上下の方形箱１を連結する構造となっている。
【００３１】
次に、上記構成の商品陳列台の使用態様を説明する。例えば、平置きステージ状の商品陳列台を作る場合、先ず、図２に示すように、方形箱１の上に、連結板部材２を載せ、連結板部材２の下側に突設した連結凸部５を、方形箱１の上スリット１１に差し込み、連結板部材２を方形箱１上に取り付ける。図１２のように、２個の方形箱１を並設する場合、２個の方形箱１上に各々連結板部材２を取り付ける。
【００３２】
次に、隣接する２個の連結板部材２を相互に連結するために、その隣接部分の第１連結凹部２１内に、連結ロック部材３を取り付ける。この場合、図１３に示すように、隣接する２個の連結板部材２では、左側の連結板部材２の右辺部の下側に第１連結凹部２１が位置するため、その第１連結凹部２１内に連結ロック部材３の軸部３３を嵌め込み、右側の連結板部材２の左辺部では、上側に第１連結凹部２１が位置するため、その上側の第１連結凹部２１内に連結ロック部材３の軸部３３を嵌め込む。
【００３３】
次に、右側の連結板部材２の左辺部における、上側の第１連結凹部２１内の連結ロック部材３を、図１４に示す如く、左側に反転回動させ、連結ロック部材３の板状本体３４を左側の連結板部材２の第２連結凹部２２内に嵌め込む。同様に、左側の連結板部材２の右辺部における、下側の第１連結凹部２１内の連結ロック部材３を、右側に反転回動させ、連結ロック部材３の板状本体３４を右側の連結板部材２の第２連結凹部２２内に嵌め込む。
【００３４】
このとき、各連結ロック部材３の板状本体３４の係止孔３５が、第２連結凹部２２内の係止凸部２２ａに嵌合して係止され、連結ロック部材３の軸部３３はその両端部を第２連結凹部２２内の軸支部２５に嵌合保持され、両側の連結板部材２は、相互に隣接した辺部で、２個の連結ロック部材３によって連結保持されることとなる。
【００３５】
このように、組み立てられた商品陳列台は、図１２に示すように、２個の連結板部材２付きの方形箱１を並設した、平置きステージ状の陳列台となり、その上面の連結板部材２上には、多くの商品を陳列することができる。この商品陳列大は、２枚の連結板部材２が連結ロック部材３によって相互に連結され、下側の方形箱１に対しても連結凸部５により連結されるので、方形箱１の位置がずれることはなく、安定して陳列台を設置することができる。
【００３６】
図１６に示すように、雛段状に商品陳列台を組み立てる場合、上記のように、２個の連結板部材付き方形箱１を連結してなる方形箱ユニット１Ａを、３個使用し、これら３個の方形箱ユニット１Ａを、雛段状に並べ、上下及び前後に連結する。このとき、第１段目は、図１２に示すような、２個の連結板部材付き方形箱１を連結した方形箱ユニット１Ａを、２個並設して形成し、第１段目の上の奥に、１個の方形箱ユニット１Ａを載置して連結する。
【００３７】
このとき、第１段目は、２個の連結板部材付き方形箱１からなる方形箱ユニット１Ａを、前後に並べ、前後の方形箱ユニット１Ａの接合部に位置する、２対の連結板部材２の辺部の各第１連結凹部２１内に取り付けられた連結ロック部材３を、反転回動させ、隣接する連結板部材２の第２連結凹部２２内に嵌め込む。これにより、第１段目の２対の連結板部材付き方形箱１は、連結板部材２と連結ロック部材３を介して、相互に連結された状態となる。
【００３８】
次に、第１段目の上の奥に、１個の方形箱ユニット１Ａを載置して連結する。このとき、図１５に示すように、第１段目の奥の方形箱ユニット１Ａでは、その連結板部材２の中央の連結プレート４が、図１１（ｃ）に示す如く、プレート用凹部２４から上に向けて回動操作して、垂直に突き出された状態とする。この状態で、図１５に示す如く、第２段目の方形箱ユニット１Ａを、第１段目の奥の方形箱ユニット１Ａ上に載置すれば、第２段目の方形箱ユニット１Ａの各方形箱１の下スリット１２が、第１段目の連結板部材２の連結プレート４に嵌合され、第１段目の奥の方形箱ユニット１Ａ上に、第２段目の方形箱ユニット１Ａが連結して取り付けられ、図１６に示すような雛段状の商品陳列台が完成する。
【００３９】
第１段目の２対の連結板部材付き方形箱１は、連結板部材２と連結ロック部材３を介して、相互に連結され、第２段目の方形箱ユニット１Ａは、第１段目の連結板部材２に対し連結プレート４を介して連結されるため、複数の方形箱１が容易に位置ずれしない安定した形状の商品陳列台とすることができる。
【００４０】
なお、方形箱１の底面に、連結板部材２の底面を連結させて組み付け、連結板部材２の上面を商品陳列台の底面として使用すれば、水気のある濡れた床面上でも、段ボール製の方形箱を安全に置くことができる。
【００４１】
このように、上記商品陳列台によれば、各方形箱１の上面に取り付けた連結板部材２の連結により、並設する方形箱を連結することができるので、複数の方形箱１を、横に並べた状態で安定して設置することができ、平面を形成する安定したステージ状の連結板部材２上に、多数の商品を陳列することができる。各連結板部材２上の連結プレート４を垂直に回動させ、その上に連結板部材２付きの方形箱１を載置して、上下に複数の方形箱１を積み重ねた状態とし、その前側に、横に並設した連結板部材２付きの方形箱１を連結すれば、雛段状の陳列台とすることができる。
【符号の説明】
【００４２】
１      方形箱
２      連結板部材
３      連結ロック部材
４      連結プレート
５      連結凸部
１１    上スリット
１２    下スリット
２１    第１連結凹部
２２    第２連結凹部
２２ａ  係止凸部
２３    部材本体
２４    プレート用凹部
２５    軸支部
２６    支軸
２７    被係止部
２８    円形支持部
２９    空間セル室
３３    軸部
３４    板状本体
３５    係止孔
３６    係止アーム
３６ａ  円形凸部
３７    軸受凹部
４３    軸部
４４    板状本体
４５    係止部
４７    軸受凹部
【図１】
2019180974.tif 000003
【図２】
2019180974.tif 000004
【図３】
2019180974.tif 000005
【図４】
2019180974.tif 000006
【図５】
2019180974.tif 000007
【図６】
2019180974.tif 000008
【図７】
2019180974.tif 000009
【図８】
2019180974.tif 000010
【図９】
2019180974.tif 000011
【図１０】
2019180974.tif 000012
【図１１】
2019180974.tif 000013
【図１２】
2019180974.tif 000014
【図１３】
2019180974.tif 000015
【図１４】
2019180974.tif 000016
【図１５】
2019180974.tif 000017
【図１６】
2019180974.tif 000018